(57)【要約】      （修正有）【課題】多様な凝りや疲労に対応できるとともに、しっかり把持できるマッサージ具を提供する。【解決手段】マッサージ具１は、筒状の本体１０に第１凸部２０と第２凸部３０を備える、各凸部２０は、凸部裾から上り傾斜で凸部先端に至り、孤を描いて、凸部先端から下り傾斜で凸部裾に至るように形成される。第１凸部における凸部裾間の距離に対する、凸部裾から凸部先端までの垂直距離の比と、第２凸部における凸部裾間の距離に対する、凸部裾から凸部先端までの垂直距離の比と、が異なる。【選択図】図１
0003179223.tif 000002
【実用新案登録請求の範囲】
【請求項１】
使用者に把持されて、体の一部に押し当てられるマッサージ具であって、
筒状の本体を備え、
前記本体には、
前記本体の上端において、前記本体の外周に沿って形成され、上方に膨出する複数の第１凸部と、
前記本体の下端において、前記本体の外周に沿って形成され、下方に膨出する複数の第２凸部と、が形成され、
前記第１凸部は、正面から視て、一方の第１凸部裾から上り傾斜で第１凸部先端に至り、孤を描いて、前記第１凸部先端から下り傾斜で他方の前記第１凸部裾に至るように形成され、
前記第２凸部は、正面から視て、一方の第２凸部裾から下り傾斜で第２凸部先端に至り、孤を描いて、前記第２凸部先端から上り傾斜で他方の前記第２凸部裾に至るように形成され、
一方の前記第１凸部裾から他方の前記第１凸部裾までの距離に対する、前記第１凸部裾から前記第１凸部先端までの垂直距離の比と、
一方の前記第２凸部裾から他方の前記第２凸部裾までの距離に対する、前記第２凸部裾から前記第２凸部先端までの垂直距離の比と、が互いに異なるマッサージ具。
【請求項２】
前記本体は、所定の厚さで形成され、外周面と内周面とを有し、
前記第１凸部には、前記外周面及び前記内周面の接線方向から視て、前記外周面と前記内周面の中心と、前記外周面と、の間に頂部が形成され、
前記第１凸部は、前記接線方向から視て、前記外周面の上端から上方に孤を描いて前記頂部に至り、前記頂部から下方に孤を描いて前記内周面の上端に至るように形成した請求項１に記載のマッサージ具。
【考案の詳細な説明】
【技術分野】
【０００１】
本考案は、マッサージ具に関し、特に使用者に把持されて、体の一部に押し当てられるマッサージ具に関する。
【背景技術】
【０００２】
従来、凝りや疲労を感じる体の部分に、マッサージ具を押し当て、硬直した筋肉をほぐしたり、皮膚を刺激することで血行を促し、凝りや疲労が軽減することが知られている。
【０００３】
このようなマッサージ具として、略長方体形状の把持部の一つの表面に、複数個の略半球形状の突起部を一体に突設したマッサージ具が提案されている（特許文献１を参照）。
この特許文献１のマッサージ具によれば、使用者は、把持部を掴み、突起部を皮膚に押圧することで指圧効果を得ることによりマッサージ効果を得ることができる。
【先行技術文献】
【特許文献】
【０００４】
【特許文献１】実開平５−１３４３０号公報
【考案の概要】
【考案が解決しようとする課題】
【０００５】
ところで、体の一部に感じる凝りや疲労は、程度が様々であり、ある時に感じた凝り等に対してマッサージ具の突起部を押し当てることで心地良く感じたとしても、別の時の凝り等に対して同じマッサージ具の突起部を押し当てたとしても、物足りない場合もある。
【０００６】
しかしながら、特許文献１のマッサージ具では、突起部の形状の種類が一つしかないため、マッサージ具の突起部を押し当てても、物足りないと感じた場合は、マッサージ具を強く体に押し当てるしかなかった。また、このような場合、使用者は、マッサージ具の把持部も強く掴むこととなるが、特許文献１のマッサージ具では、把持部の形状が略長方体形状であるため、使用者の手が滑ってしまい、力が入らない場合もあった。
【０００７】
本考案は、多様な凝りや疲労に対応できるとともに、しっかり把持できるマッサージ具を提供することを目的とする。
【課題を解決するための手段】
【０００８】
（１）  使用者に把持されて、体の一部に押し当てられるマッサージ具であって、筒状の本体を備え、前記本体には、前記本体の上端において、前記本体の外周に沿って形成され、上方に膨出する複数の第１凸部と、前記本体の下端において、前記本体の外周に沿って形成され、下方に膨出する複数の第２凸部と、が形成され、前記第１凸部は、正面から視て、一方の第１凸部裾から上り傾斜で第１凸部先端に至り、孤を描いて、前記第１凸部先端から下り傾斜で他方の前記第１凸部裾に至るように形成され、前記第２凸部は、正面から視て、一方の第２凸部裾から下り傾斜で第２凸部先端に至り、孤を描いて、前記第２凸部先端から上り傾斜で他方の前記第２凸部裾に至るように形成され、一方の前記第１凸部裾から他方の前記第１凸部裾までの距離に対する、前記第１凸部裾から前記第１凸部先端までの垂直距離の比と、一方の前記第２凸部裾から他方の前記第２凸部裾までの距離に対する、前記第２凸部裾から前記第２凸部先端までの垂直距離の比と、が互いに異なるマッサージ具。
【０００９】
（１）の考案によれば、複数の第１凸部を、筒状の本体の上端において、本体の外周に沿って形成し、上方に膨出させて形成した。複数の第２凸部を、筒状の本体の下端において、本体の外周に沿って形成し、下方に膨出させて形成した。また、第１凸部を、正面から視て、一方の第１凸部裾から上り傾斜で第１凸部先端に至り、孤を描いて、第１凸部先端から下り傾斜で他方の第１凸部裾に至るように形成した。第２凸部を、正面から視て、一方の第２凸部裾から下り傾斜で第２凸部先端に至り、孤を描いて、第２凸部先端から上り傾斜で他方の第２凸部裾に至るように形成した。
そして、一方の第１凸部裾から他方の第１凸部裾までの距離に対する、第１凸部裾から第１凸部先端までの垂直距離の比と、一方の第２凸部裾から他方の第２凸部裾までの距離に対する、第２凸部裾から第２凸部先端までの垂直距離の比と、が互いに異なるように形成した。
【００１０】
これにより、使用者は、筒状の本体の上端を把持した場合には、第２凸部の第２凸部先端を、凝りや疲労を感じる部分に押し当てる。また、使用者は、筒状の本体の下端を把持した場合には、第１凸部の第１凸部先端を、凝りや疲労を感じる部分に押し当てる。
そして、例えば、一方の第２凸部裾から他方の第２凸部裾までの距離に対する、第２凸部裾から第２凸部先端までの垂直距離の比が、第１凸部裾から他方の第１凸部裾までの距離に対する、第１凸部裾から第１凸部先端までの垂直距離の比より小さい場合、第２凸部の方が第１凸部よりなだらかな形状となる。この場合、例えば、使用者は、本体の上端を把持し、第２凸部の第２凸部先端を、凝りや疲労を感じる部分に押し当てたときに、物足りないと感じた場合には、本体の下端を把持し、第１凸部の第１凸部先端を、凝りや疲労を感じる部分に押し当てることで、第２凸部の第２凸部先端を押し当てた場合に比べ、より強い刺激を得ることができる。
一方、本体の下端を把持し、第１凸部の第１凸部先端を、凝りや疲労を感じる部分に押し当てたときに、痛いと感じた場合には、本体の上端を把持し、第２凸部の第２凸部先端を、凝りや疲労を感じる部分に押し当てることで、第１凸部の第１凸部先端を押し当てた場合に比べ、刺激を和らげることができる。
【００１１】
また、使用者は、本体の上端又は下端を把持する場合、複数の第１凸部の間又は複数の第２凸部の間に指を入れて掴むことで、本体をしっかり把持できる。
したがって、多様な凝りや疲労に対応できるとともに、しっかり把持できるマッサージ具を提供できる。
【００１２】
（２）  前記本体は、所定の厚さで形成され、外周面と内周面とを有し、前記第１凸部には、前記外周面及び前記内周面の接線方向から視て、前記外周面と前記内周面の中心と、前記外周面と、の間に頂部が形成され、前記第１凸部は、前記接線方向から視て、前記外周面の上端から上方に孤を描いて前記頂部に至り、前記頂部から下方に孤を描いて前記内周面の上端に至る（１）に記載のマッサージ具。
【００１３】
（２）の考案によれば、第１凸部には、本体の外周面及び内周面の接線方向から視て、外周面と内周面の中心と、外周面と、の間に頂部を形成した。また、第１凸部は、接線方向から視て、外周面の上端から上方に孤を描いて頂部に至り、頂部から下方に孤を描いて内周面の上端に至るように形成した。
これにより、第１凸部の最も突出する頂部は、外周面よりに形成される。
ここで、使用者は、マッサージ具の頂部を、体の一部に押し当てる場合、本体の外周面側から内周面側に向けて力をかける。よって、頂部を外周面よりに形成することで、使用者により本体の外周面側から内周面側に向けてかけられた力を、確実に頂部に伝達できる。
【考案の効果】
【００１４】
本考案によれば、多様な凝りや疲労に対応できるとともに、しっかり把持できるマッサージ具を提供できる。
【図面の簡単な説明】
【００１５】
【図１】本考案の一実施形態に係るマッサージ具の斜視図である。
【図２】前記実施形態に係るマッサージ具の正面図である。
【図３】前記実施形態に係るマッサージ具の側面図である。
【図４】前記実施形態に係るマッサージ具の平面図である。
【図５】図４におけるＡ−Ａ断面図である。
【図６】前記実施形態に係るマッサージ具の使用方法を説明する図である。
【考案を実施するための形態】
【００１６】
本考案の実施形態に係るマッサージ具１の構成を図面に基づいて説明する。図１は、本考案の一実施形態に係るマッサージ具１の斜視図である。
図２は、前記実施形態に係るマッサージ具１の正面図である。
図３は、前記実施形態に係るマッサージ具１の側面図である。
図４は、前記実施形態に係るマッサージ具１の平面図である。
【００１７】
マッサージ具１は、筒状の本体１０を備える。本体１０は、例えば、人が把持可能な直径（例えば、５０ｍｍ〜１００ｍｍ）の竹を、水平方向に所定間隔（例えば、５０ｍｍ〜１００ｍｍ）に切断することにより製造される。また、本体１０は、合成樹脂により製造することもできる。
【００１８】
本体１０の上端には、本体１０の外周に沿って形成され、上方に膨出する複数の第１凸部２０と、本体１０の下端において、本体１０の外周に沿って形成され、下方に膨出する複数の第２凸部３０と、が形成されている。なお、本実施形態では、説明上の便宜のため、本体１０の上端に第１凸部２０を形成し、本体１０の下端に第２凸部３０を形成しているが、本体１０の上端に第２凸部３０を形成し、本体１０の下端に第１凸部２０を形成しても同様の作用効果を奏する。
【００１９】
第１凸部２０は、本体１０の外周に沿って、略等間隔で６つ形成されている。
図３に示すように、それぞれの第１凸部２０は、当該第１凸部２０の正面から視て、一方の第１凸部裾２１１から上り傾斜で第１凸部先端２２０に至り、孤を描いて、第１凸部先端２２０から下り傾斜で他方の第１凸部裾２１２に至るように形成されている。
【００２０】
図５は、図４におけるＡ−Ａ断面図である。本体１０は、所定の厚さ（例えば、５ｍｍ〜１０ｍｍ）で形成され、外周面１１と内周面１２とを有する。
第１凸部２０には、外周面１１及び内周面１２の接線方向（図４中矢印１１ａ及び１２ａ）から視て、外周面１１と内周面１２の中心Ｃと、外周面１１と、の間に第１凸部頂部２３０が形成されている。
第１凸部２０は、接線方向（図４中矢印１１ａ及び１２ａ）から視て、外周面１１の上端から上方に孤を描いて第１凸部頂部２３０に至り、第１凸部頂部２３０から下方に孤を描いて内周面１２の上端に至るように形成されている。
【００２１】
第２凸部３０は、本体１０の外周に沿って、略等間隔で６つ形成されている。
図３に示すように、それぞれの第２凸部３０は、当該第２凸部３０の正面から視て、一方の第２凸部裾３１１から下り傾斜で第２凸部先端３２０に至り、孤を描いて、第２凸部先端３２０から上り傾斜で他方の第２凸部裾３１２に至るように形成されている。
【００２２】
図５に示すように、第２凸部３０は、外周面１１及び内周面１２の接線方向（図４中矢印１１ａ及び１２ａ）から視て、外周面１１と内周面１２の中心Ｃ上に第２凸部頂部３３０が形成されている。
第２凸部３０は、接線方向（図４中矢印１１ａ及び１２ａ）から視て、外周面１１の下端から下方に孤を描いて第２凸部頂部３３０に至り、第２凸部頂部３３０から上方に孤を描いて内周面１２の下端に至るように形成されている。
【００２３】
図３に戻って、第２凸部裾３１１から第２凸部裾３１２までの距離ａ２に対する、第２凸部裾３１１及び３１２から第２凸部先端３２０までの垂直距離ｂ２の比ｂ２／ａ２は、第１凸部裾２１１から第１凸部裾２１２までの距離ａ１に対する、第１凸部裾２１１及び２１２から第１凸部先端２２０までの垂直距離ｂ１の比ｂ１／ａ１より小さい。即ち、第２凸部３０は、第１凸部２０よりなだらかな形状で形成されている。
【００２４】
なお、本実施形態において、第１凸部２０及び第２凸部３０は、６つ形成しているが、これに限らず、任意の数量で形成してもよい。また、本実施形態において、第１凸部２０及び第２凸部３０は、略等間隔で形成しているが、これに限らず、任意の間隔で形成してもよい。また、本実施形態において、第１凸部２０及び第２凸部３０は、本体１０の外周方向において、略同位置に形成しているが、これに限らず、例えば、互いに３０°ずれた位置等、任意の位置に形成してもよい。
【００２５】
次に、本考案の実施形態に係るマッサージ具１の使用方法について説明する。
図６は、前記実施形態に係るマッサージ具１の使用方法を説明する図である。
図６に示すように、使用者１００は、複数の第２凸部３０の間に指を入れて掴み、第１凸部２０の第１凸部先端２２０を、凝りや疲労を感じる部分に押し当てる。
このとき、使用者１００は、本体１０の外周面１１側から内周面１２側に向けて力をかけることで、当該力を、確実に第１凸部頂部２３０に伝達できる。
また、例えば、使用者１００は、第１凸部２０の第１凸部先端２２０を押し当てたときに、刺激が強いと感じたときには、図６に示す態様とは逆に、複数の第１凸部２０の間に指を入れて掴み、第１凸部２０よりなだらかな形状で形成された第２凸部３０の第２凸部先端３２０（図３参照）を、凝りや疲労を感じる部分に押し当てることで、刺激を和らげることもできる。
【００２６】
なお、本考案は前記実施形態に限定されるものではなく、本考案の目的を達成できる範囲での変形、改良等は本考案に含まれるものである。
【符号の説明】
【００２７】
１      マッサージ具
１０    本体
１１    外周面
１２    内周面
２０    第１凸部
２１１  第１凸部裾
２１２  第１凸部裾
２３０  第１凸部頂部
２２０  第１凸部先端
３０    第２凸部
３１１  第２凸部裾
３１２  第２凸部裾
３２０  第２凸部先端
３３０  第２凸部頂部
【図１】
0003179223.tif 000003
【図２】
0003179223.tif 000004
【図３】
0003179223.tif 000005
【図４】
0003179223.tif 000006
【図５】
0003179223.tif 000007
【図６】
0003179223.tif 000008